(57)【要約】      （修正有）【課題】食卓としても使用できる使用勝手を向上させる加熱調理器を提供する。【解決手段】加熱調理器１は、本体１０と、本体の上部に配置され、少なくとも１つの加熱領域が形成されている天板２０とを有する。加熱調理器は、少なくとも１つの操作部４０を備えている。本体の側面に形成されている凹部１５において、上部側を向く傾斜面１５Ｄに、操作部は設けられている。【選択図】図１
2019215116.tif 000002
【特許請求の範囲】
【請求項１】
本体と、前記本体の上部に配置され、少なくとも１つの加熱領域が形成されている天板とを有する加熱調理器であって、
少なくとも１つの操作部を備え、
前記操作部は、前記本体の側面において、前記天板の最外縁よりも前記本体の内側に位置している加熱調理器。
【請求項２】
前記本体の側面に凹部が形成されており、
前記操作部は、前記凹部を構成し上部側を向く内周面に設けられている請求項１に記載の加熱調理器。
【請求項３】
前記凹部は、前記天板の端面の一部に沿って延びており、
前記内周面は、前記本体の内側から前記本体の外側に向かって下方向へ傾斜している請求項２に記載の加熱調理器。
【請求項４】
前記操作部の機能を示す機能表示部を更に有し、
前記機能表示部は、前記操作部と関連づけて前記天板に設けられている請求項２又は３に記載の加熱調理器。
【請求項５】
前記機能表示部は、前記天板の上面において、前記端面に臨む端部に設けられている請求項３を引用する請求項４に記載の加熱調理器。
【請求項６】
前記機能表示部は、前記天板の前記端面に設けられている請求項３を引用する請求項４に記載の加熱調理器。
【請求項７】
前記加熱領域における火力の状態を表示する火力表示部を更に備える請求項４〜６のいずれか一項に記載の加熱調理器。
【請求項８】
前記火力表示部は、前記凹部の前記内周面に設けられている請求項７に記載の加熱調理器。
【請求項９】
前記火力表示部は、前記天板の前記端面に設けられている請求項６を引用する請求項７に記載の加熱調理器。
【請求項１０】
前記火力表示部は、前記天板において、前記加熱領域の周囲に設けられている請求項７に記載の加熱調理器。
【請求項１１】
前記加熱領域に対応する加熱手段の動作を操作する複数の前記操作部を有し、複数の前記操作部は、前記加熱領域を挟んで対向する位置に設けられている請求項１〜１０のいずれか一項に記載の加熱調理器。
【請求項１２】
複数の前記操作部に対応して複数の前記火力表示部が設けられ、
複数の前記火力表示部は、それぞれ、前記加熱領域の周囲において、複数の前記操作部のうちの対応しない前記操作部よりも、対応する前記操作部に近い位置に設けられている請求項１０を引用する請求項１１に記載の加熱調理器。
【請求項１３】
前記天板は、端面の一部を含み前記端面に臨む領域が透明部で構成されている請求項１又は２に記載の加熱調理器。
【請求項１４】
前記操作部は複数のボタンを含んでおり、複数の前記ボタンの上面は、前記凹部の前記内周面と同一平面に位置している請求項２〜１２、請求項２を引用する請求項１３のいずれか一項に記載の加熱調理器。
【請求項１５】
前記操作部は複数のボタンを含んでおり、複数の前記ボタンは、前記凹部の前記内周面から突出している押圧式のボタンである請求項２〜１２、請求項２を引用する請求項１３のいずれか一項に記載の加熱調理器。
【請求項１６】
前記天板に複数の前記加熱領域が形成され、
前記操作部は、前記本体の電源ボタンと複数の前記加熱領域のそれぞれに対応する複数の操作ボタン群を有し、前記電源ボタン及び複数の前記操作ボタン群のうち隣接するもの同士の間に仕切り部材が設けられている請求項１〜１５のいずれか一項に記載の加熱調理器。
【請求項１７】
前記天板に複数の前記加熱領域が形成され、
前記操作部は、前記本体の電源ボタンと複数の前記加熱領域のそれぞれに対応する複数の操作ボタン群を有し、
前記電源ボタン及び複数の前記操作ボタン群は、前記天板の前記端面に沿って配置されており、前記電源ボタンは、前記操作部の長手方向の中央に設けられている請求項３に記載の加熱調理器。
【発明の詳細な説明】
【技術分野】
【０００１】
本発明は、食卓としても使用することができる加熱調理器に関する。
【背景技術】
【０００２】
従来、加熱調理器には食卓としても使用することができるタイプのものがある。このような加熱調理器において、天板の上面に加熱領域が形成され、天板の側部側に操作部が設けられている。使用者は、加熱領域に鍋等の被加熱物を載置し、操作部で電源のオンオフ、及び加熱領域の火力の調整を行い、被加熱部内の食材を調理する。また、調理中若しくは調理後に食卓として使用する場合、使用者は、加熱領域以外の天板の領域、例えば端部に食器類を載置して食事をする。特許文献１には、食卓と兼用できる誘導加熱調理器において、キッチン側及びリビング側のそれぞれに、キッチン天面の手前側に操作部ユニットを配設したものが記載されている。
【先行技術文献】
【特許文献】
【０００３】
【特許文献１】特開２００９−２７７５２０号公報
【発明の概要】
【発明が解決しようとする課題】
【０００４】
しかしながら、特許文献１に記載の誘導加熱調理器は、使用者とキッチン天面との間に操作部ユニットが介在するため、使用者とキッチン天面との間の距離が離れてしまう。従って、誘導加熱調理器で調理する際、及び、誘導加熱調理器を食卓として使用する際、操作部ユニットが邪魔となり、使い勝手が悪いという問題がある。
【０００５】
本発明は、上述のような課題を背景としてなされたものであり、食卓としても使用できる加熱調理器であって、使い勝手のよい加熱調理器を提供することを目的としている。
【課題を解決するための手段】
【０００６】
本発明に係る加熱調理器は、本体と、前記本体の上部に配置され、少なくとも１つの加熱領域が形成されている天板とを有する加熱調理器であって、少なくとも１つの操作部を備え、前記操作部は、前記本体の側面において、前記天板の最外縁よりも前記本体の内側に位置しているものである。
【発明の効果】
【０００７】
本発明によれば、使用者が加熱調理器で調理する場合も、加熱調理器を食卓として使用する場合も、操作部が邪魔になることがなく、使い勝手のよい加熱調理器が得られる。
【図面の簡単な説明】
【０００８】
【図１】本発明の実施の形態１に係る加熱調理器を模式的に示す斜視図である。
【図２】本発明の実施の形態１に係る加熱調理器を模式的に示す斜視図である。
【図３】本発明の実施の形態１に係る加熱調理器を模式的に示す平面図である。
【図４】図３の線Ａ−Ａ矢視断面を模式的に示す図である。
【図５】本発明の実施の形態１に係る加熱調理器の第１変形例の断面を模式的に示す図である。
【図６】本発明の実施の形態１に係る加熱調理器の第２変形例の断面を模式的に示す図である。
【図７】本発明の実施の形態１に係る加熱調理器の第３変形例の断面を模式的に示す図である。
【図８】本発明の実施の形態２に係る加熱調理器を模式的に示す斜視図である。
【図９】本発明の実施の形態２に係る加熱調理器を模式的に示す斜視図である。
【図１０】本発明の実施の形態２に係る加熱調理器を模式的に示す平面図である。
【図１１】本発明の実施の形態３に係る加熱調理器を模式的に示す斜視図である。
【図１２】本発明の実施の形態３に係る加熱調理器を模式的に示す斜視図である。
【図１３】本発明の実施の形態３に係る加熱調理器の断面を模式的に示す図である。
【図１４】本発明の実施の形態３に係る加熱調理器の変形例の断面を模式的に示す図である。
【図１５】本発明の実施の形態４に係る加熱調理器を模式的に示す平面図である。
【発明を実施するための形態】
【０００９】
以下、本発明の加熱調理器の好適な実施の形態について図面を用いて説明する。尚、以下に説明する実施の形態によって本発明が限定されるものではない。また、図面における各構成部材の大きさ及び形状は、説明のためにわかりやすく表しており、実際の大きさ及び形状と異なる場合がある。
【００１０】
実施の形態１．
図１及び図２は、本発明の実施の形態１に係る加熱調理器を模式的に示す斜視図である。図３は、本発明の実施の形態１に係る加熱調理器を模式的に示す平面図である。図１及び図２は、加熱調理器１をそれぞれ反対側の方向から示している。加熱調理器１は、食卓としても兼用できる加熱調理器である。加熱調理器１は、本体１０と天板２０とを有している。
【００１１】
図１及び図２に示すように、本体１０は、全体として直方体の形状を有している。本体１０の底面には、本体１０の短手方向に沿って下方に延びる脚部１１と脚部１２とが形成されている。
【００１２】
天板２０は、本体１０の上部に配置されており、長方形の形状を有している。天板２０の長手方向の長さは本体１０の長手方向の長さと略同一であり、天板２０の短手方向の長さは本体１０の短手方向の長さと略同一である。天板２０には、第１の加熱領域３０と第２の加熱領域３１とが形成されている。第１の加熱領域３０及び第２の加熱領域３１は、それぞれ円形を有している。第１の加熱領域３０と第２の加熱領域３１は、天板２０の長手方向に沿って配置されている。本体１０内において、第１の加熱領域３０及び第２の加熱領域３１の下方には、それぞれ図示省略の加熱手段が設けられている。加熱手段は、例えば電気ヒータ若しくは誘導加熱ヒータである。
【００１３】
本体１０の長手方向に延びる一対の側面のうち一方の側面１３には凹部１５が形成され、本体１０の長手方向に延びる一対の側面のうち他方の側面１４には凹部１６が形成されている。凹部１５は、側面１３から本体１０の内側へ向かって窪んでおり、本体１０の長手方向に沿って延びている。換言すると、凹部１５は、天板２０の長手方向に沿って延びる一対の端面のうちの一方の端面２１に沿って延びている。凹部１６は、側面１４から本体１０の内側へ向かって窪んでおり、本体１０の長手方向に沿って延びている。換言すると、凹部１６は、天板２０の長手方向に沿って延びる一対の端面のうちの他方の端面２２に沿って延びている。
【００１４】
凹部１５の内周面は、底面１５Ａ、凹部側面１５Ｂ、凹部側面１５Ｃ、及び傾斜面１５Ｄで形成されている。底面１５Ａは、凹部１５において、天板２０の端面２１に沿って延び、横方向を向く内周面である。凹部側面１５Ｂは、底面１５Ａの長手方向の一方の端部と連続し、本体１０の短手方向に沿って延びている。凹部側面１５Ｃは、底面１５Ａの長手方向の他方の端部と連続し、本体１０の短手方向に沿って延びている。傾斜面１５Ｄは、凹部１５において本体１０の上部側を向く内周面である。傾斜面１５Ｄは、底面１５Ａの下端部と連続し、本体１０の長手方向に延びており、本体１０の内側から外側へ向かって下方向に傾斜している。傾斜面１５Ｄの長手方向の両端部は、それぞれ凹部側面１５Ｂ、凹部側面１５Ｃと連続している。
【００１５】
凹部１６の内周面は、底面１６Ａ、凹部側面１６Ｂ、凹部側面１６Ｃ、及び傾斜面１６Ｄで形成されている。底面１６Ａは、凹部１６において、天板２０の端面２２に沿って延び、横方向を向く内周面である。凹部側面１６Ｂは、底面１６Ａの長手方向の一方の端部と連続し、本体１０の短手方向に沿って延びている。凹部側面１６Ｃは、底面１６Ａの長手方向の他方の端部と連続し、本体１０の短手方向に沿って延びている。傾斜面１６Ｄは、凹部１６において本体１０の上部側を向く内周面である。傾斜面１６Ｄは、底面１６Ａの下端部と連続し、本体１０の長手方向に延びており、本体１０の内側から外側へ向かって下方向に傾斜している。傾斜面１６Ｄの長手方向の両端部は、それぞれ凹部側面１６Ｂ、凹部側面１６Ｃと連続している。
【００１６】
本体１０は、第１の操作部４０と第２の操作部５０を備えている。第１の操作部４０は、本体１０の側面１３の凹部１５の傾斜面１５Ｄに設けられている。第２の操作部５０は、本体１０の側面１４の凹部１６の傾斜面１６Ｄに設けられている。すなわち、第１の操作部４０と第２の操作部５０は、第１の加熱領域３０及び第２の加熱領域３１を挟んで対向するように設けられている。
【００１７】
図１に示すように、第１の操作部４０は、電源ボタン４１と第１の操作ボタン群４２と第２の操作ボタン群４３とを含んでいる。電源ボタン４１は、加熱調理器１の主電源をオンオフするためのボタンである。
【００１８】
第１の操作ボタン群４２は、ボタン４２Ａ、ボタン４２Ｂ、ボタン４２Ｃ、ボタン４２Ｄ、及びボタン４２Ｅを含んでいる。ボタン４２Ａは、第１の加熱領域３０の上述の加熱手段のオンオフを制御するボタンである。ボタン４２Ｂは、第１の加熱領域３０における設定火力を上げるためのボタンである。ボタン４２Ｃは、第１の加熱領域３０における設定火力を下げるためのボタンである。ボタン４２Ｄは、第１の加熱領域３０で行う調理の調理メニューを選択するためのボタンである。ボタン４２Ｅは、第１の加熱領域３０で行う調理のタイマーを制御するためのボタンである。このように、第１の操作ボタン群４２は、第１の加熱領域３０における調理を制御するための複数のボタンを含んでいる。換言すると、第１の操作ボタン群４２の複数のボタンは、第１の加熱領域３０の下方に設けられている上述の加熱手段の動作を制御するためのボタンである。
【００１９】
第２の操作ボタン群４３は、ボタン４３Ａ、ボタン４３Ｂ、ボタン４３Ｃ、ボタン４３Ｄ、及びボタン４３Ｅを含んでいる。ボタン４３Ａは、第２の加熱領域３１の上述の加熱手段のオンオフを制御するボタンである。ボタン４３Ｂは、第２の加熱領域３１における設定火力を上げるためのボタンである。ボタン４３Ｃは、第２の加熱領域３１における設定火力を下げるためのボタンである。ボタン４３Ｄは、第２の加熱領域３１で行う調理の調理メニューを選択するためのボタンである。ボタン４３Ｅは、第２の加熱領域３１で行う調理のタイマーを制御するためのボタンである。このように、第２の操作ボタン群４３は、第２の加熱領域３１における調理を制御するための複数のボタンを含んでいる。換言すると、第２の操作ボタン群４３の複数のボタンは、第２の加熱領域３１の下方に設けられている上述の加熱手段の動作を制御するためのボタンである。
【００２０】
第１の操作部４０において、電源ボタン４１、第１の操作ボタン群４２の各ボタン、及び第２の操作ボタン群４３の各ボタンは、天板２０の端面２１に沿って、すなわち本体１０の長手方向に沿って、一列に配置されている。電源ボタン４１は、第１の操作部４０の中央に配置されている。
【００２１】
図２に示すように、第２の操作部５０は、電源ボタン５１と第３の操作ボタン群５２と第４の操作ボタン群５３とを含んでいる。電源ボタン５１は、加熱調理器１の主電源をオンオフするためのボタンである。
【００２２】
第３の操作ボタン群５２は、ボタン５２Ａ、ボタン５２Ｂ、ボタン５２Ｃ、ボタン５２Ｄ、及びボタン５２Ｅを含んでいる。ボタン５２Ａは、第２の加熱領域３１の上述の加熱手段のオンオフを制御するボタンである。ボタン５２Ｂは、第２の加熱領域３１における設定火力を上げるためのボタンであり、ボタン５２Ｃは、第２の加熱領域３１における設定火力を下げるためのボタンである。ボタン５２Ｄは、第２の加熱領域３１で行う調理の調理メニューを選択するためのボタンである。ボタン５２Ｅは、第２の加熱領域３１で行う調理のタイマーを制御するためのボタンである。第２の操作ボタン群４３と同様、第３の操作ボタン群５２は、第２の加熱領域３１における調理を制御するための複数のボタンを含んでいる。すなわち、第３の操作ボタン群５２の複数のボタンは、第２の加熱領域３１の下方に設けられている上述の加熱手段の動作を制御するためのボタンである。
【００２３】
第４の操作ボタン群５３は、ボタン５３Ａ、ボタン５３Ｂ、ボタン５３Ｃ、ボタン５３Ｄ、及びボタン５３Ｅを含んでいる。ボタン５３Ａは、第１の加熱領域３０の上述の加熱手段のオンオフを制御するボタンである。ボタン５３Ｂは、第１の加熱領域３０における設定火力を上げるためのボタンであり、ボタン５３Ｃは、第１の加熱領域３０における設定火力を下げるためのボタンである。ボタン５３Ｄは、第１の加熱領域３０で行う調理の調理メニューを選択するためのボタンである。ボタン５３Ｅは、第１の加熱領域３０で行う調理のタイマーを制御するためのボタンである。第１の操作ボタン群４２と同様、第４の操作ボタン群５３は、第１の加熱領域３０における調理を制御するための複数のボタンを含んでいる。すなわち、第４の操作ボタン群５３の複数のボタンは、第１の加熱領域３０の下方に設けられている上述の加熱手段の動作を制御するためのボタンである。
【００２４】
第２の操作部５０において、電源ボタン５１、第３の操作ボタン群５２の各ボタン、及び第４の操作ボタン群５３の各ボタンは、天板２０の端面２２に沿って、すなわち本体１０の長手方向に沿って、一列に配置されている。電源ボタン５１は、第２の操作部５０の中央に配置されている。
【００２５】
加熱調理器１は、第１の機能表示部６０と第２の機能表示部７０とを有している。第１の機能表示部６０は、第１の操作部４０の上述の各ボタンの機能を表示するものであり、図１に示すように、天板２０において、第１の操作部４０に沿って設けられている。第２の機能表示部７０は、第２の操作部５０の上述の各ボタンの機能を表示するものであり、図２に示すように、天板２０において、第２の操作部５０に沿って設けられている。また、図１〜図３に示すように、本実施の形態１において、第１の機能表示部６０は、天板２０の上面において、端面２１に臨む端部に設けられ、第２の機能表示部７０は、天板２０の上面において、端面２２に臨む端部に設けられている。
【００２６】
第１の機能表示部６０は、表示要素６１、第１の表示要素群６２、及び第２の表示要素群６３を含んでいる。第１の表示要素群６２は、表示要素６２Ａ、表示要素６２Ｂ、表示要素６２Ｃ、表示要素６２Ｄ、及び表示要素６２Ｅを含んでいる。第２の表示要素群６３は、表示要素６３Ａ、表示要素６３Ｂ、表示要素６３Ｃ、表示要素６３Ｄ、及び表示要素６３Ｅを含んでいる。これらの表示要素は、例えば、天板２０に印刷により形成されたアイコンである。
【００２７】
第１の機能表示部６０は第１の操作部４０に関連づけて形成され、第２の機能表示部７０は第２の操作部５０に関連づけて形成されたものである。第１の機能表示部６０及び第２の機能表示部７０により、使用者は、第１の操作部４０及び第２の操作部５０の各ボタンの位置を視覚で確認することができる。従って、第１の操作部４０及び第２の操作部５０の操作性を損なうことがなく、使い勝手がよい。
【００２８】
尚、以下に示すように、第１の機能表示部６０の表示要素は、各表示要素に対応する第１の操作部４０を構成するボタンが操作されたときに、例えば、操作されたボタンに対応する表示要素が発光して、操作されたボタンの操作状態を表示するようにしてもよい。同様に、第２の機能表示部７０の表示要素は、各表示要素に対応する第２の操作部５０を構成するボタンが操作されたときに、例えば、操作されたボタンに対応する表示要素が発光して、操作されたボタンの操作状態を表示するようにしてもよい。このように構成することにより、使用者は、表示要素の発光を視認することによりボタンが操作されたことを確認できるので、使い勝手がよい。
【００２９】
表示要素６１は、第１の操作部４０の電源ボタン４１の操作状態を示すものである。使用者は、表示要素６１の発光を視認することにより、加熱調理器１の電源のオンオフを確認することができる。
【００３０】
第１の表示要素群６２は、図１に示す第１の操作ボタン群４２に対応するものである。表示要素６２Ａは、ボタン４２Ａの操作状態を示すものである。使用者は、表示要素６２Ａの発光を視認することにより、第１の加熱領域３０の加熱手段のオンオフを確認することができる。表示要素６２Ｂは、ボタン４２Ｂの操作状態を示すものであり、表示要素６２Ｃは、ボタン４２Ｃの操作状態を示すものである。使用者は、表示要素６２Ｂ及び表示要素６２Ｃの発光を視認することにより、第１の加熱領域３０における設定火力の上昇及び下降を確認することができる。表示要素６２Ｄは、ボタン４２Ｄの操作状態を示すものである。使用者は、表示要素６２Ｄの発光を視認することにより、第１の加熱領域３０における調理として選択されている調理メニューを確認することができる。表示要素６２Ｅは、ボタン４２Ｅの操作状態を示すものである。使用者は、表示要素６２Ｅの発光を視認することにより、第１の加熱領域３０の調理におけるタイマーの操作状態を確認することができる。
【００３１】
第２の表示要素群６３は、図１に示す第２の操作ボタン群４３に対応するものである。表示要素６３Ａは、ボタン４３Ａの操作状態を示すものである。使用者は、表示要素６３Ａの発光を視認することにより、第２の加熱領域３１の加熱手段のオンオフを確認することができる。表示要素６３Ｂは、ボタン４３Ｂの操作状態を示すものであり、表示要素６３Ｃは、ボタン４３Ｃの操作状態を示すものである。使用者は、表示要素６３Ｂ及び表示要素６３Ｃの発光を視認することにより、第２の加熱領域３１における設定火力の上昇及び下降を確認することができる。表示要素６３Ｄは、ボタン４３Ｄの操作状態を示すものである。使用者は、表示要素６３Ｄの発光を視認することにより、第２の加熱領域３１における調理として選択されている調理メニューを確認することができる。表示要素６３Ｅは、ボタン４３Ｅの操作状態を示すものである。使用者は、表示要素６３Ｅの発光を視認することにより、第２の加熱領域３１の調理におけるタイマーの操作状態を確認することができる。
【００３２】
第２の機能表示部７０は、表示要素７１、第３の表示要素群７２、及び第４の表示要素群７３を含んでいる。第３の表示要素群７２は、表示要素７２Ａ、表示要素７２Ｂ、表示要素７２Ｃ、表示要素７２Ｄ、及び表示要素７２Ｅを含んでいる。第４の表示要素群７３は、表示要素７３Ａ、表示要素７３Ｂ、表示要素７３Ｃ、表示要素７３Ｄ、及び表示要素７３Ｅを含んでいる。これらの表示要素は、第１の機能表示部６０の上述の各表示要素と同様、例えば、天板２０に印刷により形成されたアイコンである。
【００３３】
表示要素７１は、第２の操作部５０の電源ボタン５１に対応している。使用者は、表示要素７１の発光を視認することにより、加熱調理器１の電源のオンオフを確認することができる。第３の表示要素群７２は、図２に示す第３の操作ボタン群５２に対応するものである。表示要素７２Ａはボタン５２Ａに対応し、表示要素７２Ａはボタン５２Ｂに対応し、表示要素７２Ｃはボタン５２Ｃに対応し、表示要素７２Ｄはボタン５２Ｄに対応し、表示要素７２Ｅはボタン５２Ｅに対応している。使用者は、第３の表示要素群７２のこれらの表示要素の発光を視認することにより、第２の表示要素群６３と同様、第２の加熱領域３１の調理状況を確認することができる。第４の表示要素群７３は、図２に示す第４の操作ボタン群５３に対応するものである。表示要素７３Ａはボタン５３Ａに対応し、表示要素７３Ｂはボタン５３Ｂに対応し、表示要素７３Ｃはボタン５３Ｃに対応し、表示要素７３Ｄはボタン５３Ｄに対応し、表示要素７３Ｅはボタン５３Ｅに対応している。使用者は、第４の表示要素群７３のこれらの表示要素の発光を視認することにより、第１の表示要素群６２と同様、第１の加熱領域３０の調理状況を確認することができる。
【００３４】
本実施の形態１では、第１の機能表示部６０の上述の各表示要素は、第１の操作部４０の上述の各ボタンと関連づけて天板２０に設けられ、第２の機能表示部７０の上述の各表示要素は、第２の操作部５０の上述の各ボタンと関連づけて天板２０に設けられている。そして、加熱調理器１を天板２０の側から透視的に示したとき、関連づけられている表示要素とボタンが重なり合うよう、第１の操作部４０と第１の機能表示部６０は構成されている。同様に、加熱調理器１を天板２０の側から透視的に示したとき、関連づけられている表示要素とボタンが重なり合うよう、第２の操作部５０と第２の機能表示部７０は構成されている。
【００３５】
図４は、図３の線Ａ−Ａ矢視断面を模式的に示す図である。尚、図の複雑化を避けるため、図４において本体１０の内部構成、一部の部材、及び一部の構成要素は省略されている。本体１０の側面１３の側の天板２０の最外縁は端面２１である。上述のように、本体１０の側面１３には凹部１５が形成され、凹部１５の傾斜面１５Ｄに第１の操作部４０が形成されている。すなわち、第１の操作部４０は、天板２０の最外縁である端面２１よりも本体１０の内側に位置しており、かつ、本体１０の内側から外側へ向かって、下方向に傾斜している。また、本体１０の側面１４の側の天板２０の最外縁は端面２２である。上述のように、本体１０の側面１４には凹部１６が形成され、凹部１６の傾斜面１６Ｄに第２の操作部５０が形成されている。すなわち、第２の操作部５０は、天板２０の最外縁である端面２２よりも本体１０の内側に位置しており、かつ、本体１０の内側から外側へ向かって、下方向に傾斜している。
【００３６】
第１の操作部４０において、図１に示す電源ボタン４１、第１の操作ボタン群４２の上述の複数のボタン、及び第２の操作ボタン群４３の上述の複数のボタンの上面は、傾斜面１５Ｄにおいて周囲と同一平面に位置している。電源ボタン４１、第１の操作ボタン群４２の上述の複数のボタン、及び第２の操作ボタン群４３の上述の複数のボタンは、例えばタッチパネルに形成されるボタンである。同様に、第２の操作部５０において、図２に示す電源ボタン５１、第３の操作ボタン群５２の上述の複数のボタン、及び第４の操作ボタン群５３の上述の複数のボタンの上面は、傾斜面１６Ｄにおいて周囲と同一平面に位置している。電源ボタン５１、第３の操作ボタン群５２の上述の複数のボタン、及び第４の操作ボタン群５４の上述の複数のボタンは、例えばタッチパネルに形成されるボタンである。
【００３７】
尚、電源ボタン４１、第１の操作ボタン群４２の上述の複数のボタン、及び第２の操作ボタン群４３の上述の複数のボタンは、例えば押圧式のボタンであってもよい。この場合も、これらの各ボタンの上面が傾斜面１５Ｄにおいて周囲と同一平面に位置するよう、各ボタンは配置される。同様に、電源ボタン５１、第３の操作ボタン群５２の上述の複数のボタン、及び第４の操作ボタン群５３の上述の複数のボタンは、例えば押圧式のボタンであってもよい。この場合も、これらの各ボタンの上面が傾斜面１６Ｄにおいて周囲と同一平面に位置するよう、各ボタンは配置される。
【００３８】
本実施の形態１によれば、第１の操作部４０は、加熱調理器１の本体１０の側面１３において、天板２０の端面２１よりも本体１０の内側に配置されている。また、第２の操作部５０は、加熱調理器１の本体１０の側面１４において、天板２０の端面２２よりも本体１０の内側に配置されている。そのため、天板２０の上に被加熱物を載置し調理をするとき、及び、天板２０の上に食器類を載置し、加熱調理器１を食卓として使用するとき、使用者と加熱調理器１との間に、加熱調理器１の側面１３及び側面１４から突出しているものがない。従って、加熱調理器１と使用者との距離を縮めることができ、使い勝手のよい加熱調理器１が得られる。また、調理物等が天板２０にこぼれたとしても、第１の操作部４０及び第２の操作部５０にかかることが抑制される。
【００３９】
第１の操作部４０及び第２の操作部５０は、本体１０の内側から外側に向かって、下方向に傾斜している。従って、使用者が第１の操作部４０及び第２の操作部５０を斜め上方から見下ろすとき、天板２０に遮られることがなく、視認性がよいため、操作性を損なうことがなく、使い勝手がよい。また、調理物等が第１の操作部４０及び第２の操作部５０にかかったとしても、傾斜に沿って流れ易いため、調理物等が異物として第１の操作部４０及び第２の操作部５０に停滞することが抑制される。
【００４０】
天板２０の端面２１に臨む端部には、第１の操作部４０に関連づけられた第１の機能表示部６０が形成され、天板２０の端面２２に臨む端部には、第２の操作部５０に関連づけられた第２の機能表示部７０が形成されている。そのため、第１の操作部４０が凹部１５に設けられ、第２の操作部５０が凹部１６に設けられていても、使用者は、第１の操作部４０及び第２の操作部５０の各ボタンの位置を視覚で確認することができる。従って、第１の操作部４０及び第２の操作部５０の操作性を損なうことがなく、使い勝手がよい。
【００４１】
電源ボタン４１は第１の操作部４０の中央に配置されている。従って、第１の操作ボタン群４２の側にいる使用者からも第２の操作ボタン群４３の側にいる使用者からも、電源ボタン４１は操作しやすい。従って、第１の加熱領域３０及び第２の加熱領域３１における調理中、焦げ付きもしくは吹きこぼれ等が発生した場合、使用者がどの位置にいても、迅速に電源ボタン４１を操作し、加熱調理器１の電源を切ることができるため、使い勝手がよい。電源ボタン５１も第２の操作部５０の中央に配置されており、同様の効果を奏する。
【００４２】
第１の操作部４０と第２の操作部５０は、第１の加熱領域３０及び第２の加熱領域３１を挟んで対向するように設けられている。従って、複数の使用者が加熱調理器１を挟んで対面して加熱調理器１を使用する場合、第１の操作部４０及び第２の操作部５０の双方から操作が可能となり、利便性が向上する。
【００４３】
第１の機能表示部６０の上述の各表示要素、及び第２の機能表示部７０の上述の各表示要素は、天板２０に印刷されたアイコンであるが、これに限るものではない。対応する操作ボタンの機能を文字列で印刷したものでもよい。
【００４４】
本実施の形態１では、加熱調理器１を天板２０の側から透視的に示したとき、関連づけられている表示要素とボタンが重なり合うよう、第１の操作部４０と第１の機能表示部６０は構成されているがこれに限るものではない。加熱調理器１を天板２０の側から透視的に示したとき、関連づけられている表示要素とボタンのそれぞれの領域の一部が重なり合っていてもよい。また、ボタンとの関連づけの有無が識別できる態様であれば、加熱調理器１を天板２０の側から透視的に示したとき、表示要素は関連づけられているボタンに重なり合っていなくてもよい。第２の操作部５０の各ボタンと第２の機能表示部７０の各表示要素との配置関係も同様である。
【００４５】
尚、本実施の形態１において、第１の操作部４０の各操作ボタンの上面は、傾斜面１５Ｄにおいて周囲と同一平面に位置し、第２の操作部５０の各操作ボタンの上面は、傾斜面１６Ｄにおいて周囲と同一平面に位置しているが、これに限るものではない。図５は、本発明の実施の形態１に係る加熱調理器の第１変形例の断面を模式的に示す図である。図５は、図４と同様、加熱調理器を図３の線Ａ−Ａの位置で切断し、第１の加熱領域３０の側から示している。本変形例において、第１の操作部４０の上述の各ボタンは、傾斜面１５Ｄにおいて周囲から突出している押圧式のボタンであり、第２の操作部５０の上述の各ボタンは、傾斜面１６Ｄにおいて周囲から突出している押圧式のボタンである。図５では、凹部１５において電源ボタン４１が現れ、凹部１６において電源ボタン５１が現れている。
【００４６】
本変形例によれば、第１の操作部４０及び第２の操作部５０の各ボタンの位置を指先の触覚により把握することができる。従って、使い勝手がよい。
【００４７】
実施の形態１において、天板２０の長手方向の長さは本体１０の長手方向の長さと略同一であり、天板２０の短手方向の長さは本体１０の短手方向の長さと略同一であるが、これに限るものではない。図６は、本発明の実施の形態１に係る加熱調理器の第２変形例の断面を模式的に示す図である。図７は、本発明の実施の形態１に係る加熱調理器の第３変形例の断面を模式的に示す図である。第２変形例は、第１の操作部４０の各操作ボタンの上面が傾斜面１５Ｄにおいて周囲と同一平面に位置し、第２の操作部５０の各操作ボタンの上面が傾斜面１６Ｄにおいて周囲と同一平面に位置している実施の形態の変形例である。第３変形例は、第１の操作部４０の各操作ボタンが傾斜面１５Ｄにおいて周囲から突出し、第２の操作部５０の各操作ボタンが傾斜面１６Ｄにおいて周囲から突出している第１変形例のさらなる変形例である。
【００４８】
第２変形例において、天板２０の短手方向の長さは本体１０の短手方向の長さよりも長くなっており、図６に示すように、天板２０の端面２１は、本体１０の側面１３よりも外方に位置し、天板２０の端面２２は、本体１０の側面１４よりも外方に位置している。
【００４９】
第３変形例において、天板２０の短手方向の長さは本体１０の短手方向の長さよりも長くなっており、図７に示すように、天板２０の端面２１は、本体１０の側面１３よりも外方に位置し、天板２０の端面２２は、本体１０の側面１４よりも外方に位置している。
【００５０】
第２変形例及び第３変形例によれば、天板２０にこぼれた調理物等が第１の操作部４０及び第２の操作部５０へかかることが、天板２０の端面２１及び端面２２により、効果的に抑制できる。
【００５１】
実施の形態２．
図８及び図９は、本発明の実施の形態２に係る加熱調理器を模式的に示す斜視図である。図８及び図９は、加熱調理器１００をそれぞれ反対側の方向から示している。加熱調理器１００は、食卓としても兼用できる加熱調理器である。加熱調理器１００は、本体１０と天板１２０とを有している。図８及び図９において、図１及び図２に示す部材と同一の部材には同一の符号が付されている。図８に示すように、天板１２０の長手方向に延びる一対の側部の一方の端面１２１は、本体１０の内側から外側へ向かって、下方向へ傾斜している。図９に示すように、天板１２０の長手方向に延びる一対の側部の他方の端面１２２は、端面１２１と同様、本体１０の内側から外側へ向かって、下方向へ傾斜している。端面１２１及び端面１２２における構成は後述する。
【００５２】
図１０は、本発明の実施の形態２に係る加熱調理器を模式的に示す平面図である。図１０において、図３に示す部材と同一の部材には同一の符号が付されている。端面１２１には、第１の機能表示部６０、第１の火力表示部１８１、及び第２の火力表示部１８２が設けられている。第１の火力表示部１８１及び第２の火力表示部１８２は、天板１２０の長手方向に沿って配置されており、第１の火力表示部１８１は、第１の加熱領域３０の側に位置し、第２の火力表示部１８２は、第２の加熱領域３１の側に位置している。
【００５３】
端面１２２には、第２の機能表示部７０、第３の火力表示部１８３、及び第４の火力表示部１８４が設けられている。第３の火力表示部１８３及び第４の火力表示部１８４は、天板１２０の長手方向に沿って配置されており、第３の火力表示部１８３は、第２の加熱領域３１の側に位置し、第４の火力表示部１８４は、第１の加熱領域３０の側に位置している。
【００５４】
第１の火力表示部１８１、第２の火力表示部１８２、第３の火力表示部１８３、及び第４の火力表示部１８４は、複数の矩形の表示要素を含んでいる。これらの表示要素は例えばＬＥＤ等の発光体を備えている。不図示の制御装置により、図８の第１の操作部４０の第１の操作ボタン群４２の操作により設定された第１の加熱領域３０の設定火力に応じて第１の火力表示部１８１において発光する表示要素の数が増減するようになっている。同様に、不図示の制御装置により、図９の第２の操作部５０の第４の操作ボタン群５３の操作により設定された第１の加熱領域３０における設定火力に応じて第３の火力表示部１８３において発光する表示要素の数が増減するようになっている。また、不図示の制御装置により、図８の第１の操作部４０の第２の操作ボタン群４３の操作により設定された第２の加熱領域３１における設定火力に応じて第２の火力表示部１８２において発光する表示要素の数が増減するようになっている。同様に、不図示の制御装置により、図９の第２の操作部５０の第３の操作ボタン群５２の操作により設定された第２の加熱領域３１における設定火力に応じて第４の火力表示部１８４において発光する表示要素の数が増減するようになっている。
【００５５】
本実施の形態２において、本体１０の側面１３の側の天板１２０の最外縁は、天板１２０の端面１２１の下辺である。第１の操作部４０は、本体１０の側面１３において、天板１２０の端面１２１の下辺よりも本体１０の内側に配置されている。また、本体１０の側面１４の側の天板１２０の最外縁は、天板１２０の端面１２２の下辺である。第２の操作部５０は、本体１０の側面１４において、天板１２０の端面１２２の下辺よりも本体１０の内側に配置されている。そのため、天板１２０の上に被加熱物を載置し調理をするとき、及び、天板２０の上に食器類を載置し、加熱調理器１００を食卓として使用するとき、使用者と加熱調理器１００との間に、側面１３及び側面１４から突出しているものがない。従って、本実施の形態２によれば、使い勝手のよい加熱調理器１００が得られる。
【００５６】
天板１２０の端面１２１には、第１の操作部４０に関連づけられた第１の機能表示部６０が形成され、天板２０の端面１２２には、第２の操作部５０に関連づけられた第２の機能表示部７０が形成されている。そのため、第１の操作部４０が凹部１５に設けられ、第２の操作部５０が凹部１６に設けられていても、使用者は、第１の操作部４０及び第２の操作部５０の各ボタンの位置を視覚で確認することができる。従って、第１の操作部４０及び第２の操作部５０の操作性を損なうことがなく、使い勝手がよい。
【００５７】
また、第１の機能表示部６０は天板１２０の端面１２１に設けられ、第２の機能表示部７０は天板１２０の端面１２２に設けられている。従って、天板１２０の上面における載置物の有無にかかわらず、第１の機能表示部６０及び第２の機能表示部７０を見やすい状態が確保される。その結果、第１の操作部４０及び第２の操作部５０の操作性が良好に維持され、使い勝手がよい。
【００５８】
本実施の形態２によれば、第１の加熱領域３０の火力が第１の火力表示部１８１及び第４の火力表示部１８４により視覚的に示され、第２の加熱領域３１の火力が第２の火力表示部１８２及び第３の火力表示部１８３により視覚的に示される。従って、調理中において第１の加熱領域３０及び第２の加熱領域３１の火加減を調節する際の使い勝手がよい。
【００５９】
また、第１の火力表示部１８１及び第２の火力表示部１８２は端面１２１に設けられ、第３の火力表示部１８３及び第４の火力表示部１８４は端面１２２に設けられている。従って、天板１２０の第１の加熱領域３０及び第２の加熱領域３１に被加熱物が載置されていても、第１の火力表示部１８１、第２の火力表示部１８２、第３の火力表示部１８３、及び第４の火力表示部１８４が被加熱物により遮られることがない。その結果、第１の加熱領域３０及び第２の加熱領域３１の火力状態の視認性を良好に維持でき、操作性を損なうことがなく、使い勝手がよい。
【００６０】
本実施の形態２において、端面１２１及び端面１２２は傾斜しているがこれに限るものではない。本体１０の側面１３及び側面１４と同様に、端面１２１及び端面１２２が上下方向に垂直に延びていてもよい。
【００６１】
実施の形態３．
図１１及び図１２は、本発明の実施の形態３に係る加熱調理器を模式的に示す斜視図である。図１１及び図１２は、加熱調理器２００をそれぞれ反対側の方向から示している。図１１及び図１２において、図１、図２、及び図１０に示す部材と同一の部材には同一の符号が付されている。図１３は、本発明の実施の形態３に係る加熱調理器の断面を模式的に示す図である。図１３は、図１１及び図１２に示す加熱調理器２００を図３に示す線Ａ−Ａと同じ位置で切断し、第１の加熱領域３０の側から示す図である。図１３において、図４に示す部材と同一の部材には同一の符号が付されている。本実施の形態３の加熱調理器２００は、実施の形態１及び実施の形態２と同様、全体として直方体の本体１０と長方形の天板２２０とを有している。天板２０の長手方向の長さは本体１０の長手方向の長さと略同一であり、天板２０の短手方向の長さは本体１０の短手方向の長さと略同一である。
【００６２】
図１１に示すように、天板２２０において、長手方向に延びる一対の端面のうち一方の端面２２１の一部を含み端面２２１に臨む領域は、透明部２２３で構成されている。透明部２２３は、本体１０の側面１３の凹部１５に設けられている第１の操作部４０に沿っている。
【００６３】
本実施の形態３において、第１の操作部４０には、仕切り部材２１１と仕切り部材２１２が設けられている。仕切り部材２１１は、隣接する電源ボタン４１と第１の操作ボタン群４２との間に配置されている。仕切り部材２１２は、隣接する電源ボタン４１と第２の操作ボタン群４３との間に配置されている。すなわち、電源ボタン４１、第１の操作ボタン群４２、及び第２の操作ボタン群４３のうち隣接するもの同士の間に、仕切り部材が設けられている。仕切り部材２１１及び仕切り部材２１２は、直方体状の形状を有しており、長軸が本体１０の長手方向と交差するよう配置されている。
【００６４】
本実施の形態３において、実施の形態２において説明した第１の火力表示部１８１及び第２の火力表示部１８２が、凹部１５の傾斜面１５Ｄに設けられている。第１の火力表示部１８１は、第１の操作部４０の第１の操作ボタン群４２と平行に設けられている。第２の火力表示部１８２は、第１の操作部４０の第２の操作ボタン群４３と平行に設けられている。
【００６５】
図１２に示すように、天板２２０において、長手方向に延びる一対の端面のうち他方の端面２２２の一部を含み端面２２２に臨む領域は、透明部２２４で構成されている。透明部２２４は、本体１０の側面１４の凹部１６に設けられている第２の操作部５０に沿っている。
【００６６】
本実施の形態３において、第２の操作部５０には、第１の操作部４０と同様、仕切り部材２１３と仕切り部材２１４が設けられている。仕切り部材２１３は、隣接する電源ボタン５１と第３の操作ボタン群５２との間に配置されている。仕切り部材２１４は、隣接する電源ボタン５１と第４の操作ボタン群５３との間に配置されている。すなわち、電源ボタン５１、第３の操作ボタン群５２、及び第４の操作ボタン群５３のうち隣接するもの同士の間に、仕切り部材が設けられている。仕切り部材２１３及び仕切り部材２１４は、直方体状の形状を有しており、長軸が本体１０の長手方向と交差するよう配置されている。
【００６７】
本実施の形態３において、実施の形態２において説明した第３の火力表示部１８３及び第４の火力表示部１８４が、凹部１６の傾斜面１６Ｄに設けられている。第３の火力表示部１８３は、第２の操作部５０の第３の操作ボタン群５２と平行に設けられている。第４の火力表示部１８４は、第２の操作部５０の第４の操作ボタン群５３と平行に設けられている。
【００６８】
図１３に示すように、第１の操作部４０の各ボタンは、凹部１５の傾斜面１５Ｄと同一平面に位置している。これに対し、仕切り部材２１１は、傾斜面１５Ｄから突出している。同様に、第２の操作部５０の各ボタンは、凹部１６の傾斜面１６Ｄと同一平面に位置している。これに対し、仕切り部材２１３は、傾斜面１６Ｄから突出している。尚、仕切り部材２１２も、仕切り部材２１１と同様、傾斜面１５Ｄから突出しており、及び仕切り部材２１４も、仕切り部材２１３と同様、傾斜面１６Ｄから突出している。
【００６９】
本実施の形態３によれば、第１の操作部４０は、本体１０の側面１３において、天板２２０の端面２２１よりも本体１０の内側に配置されている。また、第２の操作部５０は、本体１０の側面１４において、天板２２０の端面２２２よりも本体１０の内側に配置されている。そのため、天板２２０の上に被加熱物を載置し調理をするとき、及び、天板２２０の上に食器類を載置し、加熱調理器２００を食卓として使用するとき、使用者と加熱調理器２００との間に、側面１３及び側面１４から突出しているものがない。従って、本実施の形態３によれば、使い勝手のよい加熱調理器３００が得られる。
【００７０】
さらに、本実施の形態３によれば、加熱調理器２００の側面１３側に位置する使用者は、第１の操作部４０、第１の火力表示部１８１、及び第２の火力表示部１８２を、透明部２２３を介して視認することができる。従って、第１の操作部４０を操作するとき、また、第１の火力表示部１８１及び第２の火力表示部１８２の表示状態を確認するとき、使用者は凹部１５をのぞき込むような姿勢をとる必要がなく、使い勝手がよい。同様に、加熱調理器２００の側面１４側に位置する使用者は、第２の操作部５０、第３の火力表示部１８３、及び第４の火力表示部１８４を、透明部２２４を介して視認することができる。従って、第２の操作部５０を操作するとき、また、第３の火力表示部１８３及び第４の火力表示部１８４の表示状態を確認するとき、使用者は凹部１６をのぞき込むような姿勢をとる必要がなく、使い勝手がよい。
【００７１】
また、仕切り部材２１１及び仕切り部材２１２は、傾斜面１５Ｄから突出している。そのため、第１の操作部４０を操作するとき、使用者は仕切り部材２１１及び仕切り部材２１２を指先で触れることにより、電源ボタン４１、第１の操作ボタン群４２、及び第２の操作ボタン群４３が配置されている領域を把握することができる。従って、使い勝手がよい。同様に、仕切り部材２１３及び仕切り部材２１４は、傾斜面１６Ｄから突出している。そのため、第２の操作部５０を操作するとき、使用者は仕切り部材２１３及び仕切り部材２１４を指先で触れることにより、電源ボタン５１、第３の操作ボタン群５２、及び第４の操作ボタン群５３が配置されている領域を把握することができる。従って、使い勝手がよい。
【００７２】
尚、本実施の形態３では、第１の操作部４０の各ボタンは、凹部１５の傾斜面１５Ｄと同一平面に位置し、第２の操作部５０の各ボタンは、凹部１６の傾斜面１６Ｄと同一平面に位置しているが、これに限るものではない。上述の実施の形態１の第１変形例及び第３変形例と同様、第１の操作部４０の各ボタンを、傾斜面１５Ｄから突出している押圧式のボタンとし、第２の操作部５０の各ボタンを、傾斜面１６Ｄから突出している押圧式のボタンとしてもよい。その場合、第１の操作部４０の各ボタンの形状と、仕切り部材２１１及び仕切り部材２１２の形状とを異ならせばよい。同様に、第２の操作部５０の各ボタンの形状と、仕切り部材２１３及び仕切り部材２１４の形状とを異ならせばよい。
【００７３】
実施の形態３において、天板２０の長手方向の長さは本体１０の長手方向の長さと略同一であり、天板２０の短手方向の長さは本体１０の短手方向の長さと略同一であるが、これに限るものではない。図１４は、本発明の実施の形態３に係る加熱調理器の変形例の断面を模式的に示す図である。本変形例において、天板２０の短手方向の長さは本体１０の短手方向の長さよりも長くなっている。図１４に示すように、透明部２２３の側面は、本体１０の側面１３よりも外方に位置し、透明部２２４の側面は、本体１０の側面１４よりも外方に位置している。
【００７４】
実施の形態４．
図１５は、本発明の実施の形態４に係る加熱調理器を模式的に示す平面図である。本発明の加熱調理器３００は、図示省略の本体と、天板３２０とを有する。天板３２０には、３つの加熱領域、すなわち第１の加熱領域３３０、第２の加熱領域３３１、及び第３の加熱領域３３２が形成されている。第１の加熱領域３３０、第２の加熱領域３３１、及び第３の加熱領域３３２は、それぞれ円形を有しており、天板３２０の長手方向に沿って配置されている。本体において、天板３２０の端面３２１側の側面には、図１に示す凹部１５と同様の凹部が形成されており、当該凹部に第１の加熱領域３３０、第２の加熱領域３３１、及び第３の加熱領域３３２に対応する加熱手段の動作を操作するための操作部が設けられている。同様に、本体において、天板３２０の端面３２２側の側面には、図１に示す凹部１６と同様の凹部が形成されており、当該凹部に第１の加熱領域３３０、第２の加熱領域３３１、及び第３の加熱領域３３２に対応する加熱手段の動作を操作するための操作部が設けられている。
【００７５】
天板３２０の上面において、長手方向に延びる一対の端面の一方の端面３２１に臨む端部には、第１の機能表示部３６０が設けられている。第１の機能表示部３６０は、第１の機能表示群３６１、第２の機能表示群３６２、及び第３の機能表示群３６３、及び表示要素３６４を含んでいる。表示要素３６４は、天板３２０の端面３２１側の本体の側面に形成された凹部に設けられている、図示省略の電源ボタンに対応するものである。第１の機能表示群３６１、第２の機能表示群３６２、及び第３の機能表示群３６３は、天板３２０の端面３２１側の本体の側面に形成された凹部に設けられている、図示省略の操作ボタン群に対応するものである。第１の機能表示群３６１は、第１の加熱領域３３０に対応する加熱手段の動作を操作するための操作ボタン群に対応している。第２の機能表示群３６２は、第２の加熱領域３３１に対応する加熱手段の動作を操作するための操作ボタン群に対応している。第３の機能表示群３６３は、第３の加熱領域３３２に対応する加熱手段の動作を操作するための操作ボタン群に対応している。
【００７６】
天板３２０の上面において、長手方向に延びる一対の端面の他方の端面３２２に臨む端部には、第２の機能表示部３７０が設けられている。第２の機能表示部３７０は、第４の機能表示群３７１、第５の機能表示群３７２、第６の機能表示群３７３、及び表示要素３７４を含んでいる。表示要素３７４は、天板３２０の端面３２２側の本体の側面に形成された凹部に設けられている、図示省略の電源ボタンに対応するものである。第４の機能表示群３７１、第５の機能表示群３７２、及び第６の機能表示群３７３は、天板３２０の端面３２２側の本体の側面に形成された凹部に設けられている、図示省略の操作ボタン群に対応するものである。第４の機能表示群３７１は、第３の加熱領域３３２に対応する加熱手段の動作を操作するための操作ボタン群に対応している。第５の機能表示群３７２は、第２の加熱領域３３１に対応する加熱手段の動作を操作するための操作ボタン群に対応している。第６の機能表示群３７３は、第１の加熱領域３３０に対応する加熱手段の動作を操作するための操作ボタン群に対応している。
【００７７】
第１の加熱領域３３０の周囲には、第１の火力表示部３８１と第２の火力表示部３８２が設けられている。第１の火力表示部３８１及び第２の火力表示部３８２は、それぞれ複数の矩形の表示要素を含んでいる。これらの表示要素は、第１の加熱領域３３０の外周の一部に沿って円弧状に配置されている。
【００７８】
第１の火力表示部３８１は、第１の機能表示部３６０の第１の機能表示群３６１側に設けられている。すなわち、第１の火力表示部３８１は、天板３２０の端面３２１側の本体の側面に形成された凹部に設けられている操作ボタン群のうち、第１の機能表示群３６１と関連づけられている操作ボタン群の側に設けられている。
【００７９】
第２の火力表示部３８２は、第２の機能表示部３７０の第６の機能表示群３７３側に設けられている。すなわち、第２の火力表示部３８２は、天板３２０の端面３２２側の本体の側面に形成された凹部に設けられている操作ボタン群のうち、第６の機能表示群３７３と関連づけられている操作ボタン群の側に設けられている。
【００８０】
換言すると、第１の火力表示部３８１及び第２の火力表示部３８２は、それぞれ、第１の加熱領域３３０の周囲において、本体の複数の操作部のうちの対応しない操作部よりも、対応する操作部に近い位置に設けられている。
【００８１】
第２の加熱領域３３１の周囲には、第３の火力表示部３８３と第４の火力表示部３８４が設けられている。第３の火力表示部３８３及び第４の火力表示部３８４は、それぞれ複数の矩形の表示要素を含んでいる。これらの表示要素は、第２の加熱領域３３１の外周の一部に沿って円弧状に配置されている。
【００８２】
第３の火力表示部３８３は、第１の機能表示部３６０の第２の機能表示群３６２の側に設けられている。すなわち、第３の火力表示部３８３は、天板３２０の端面３２１側の本体の側面に形成された凹部に設けられている操作ボタン群のうち、第２の機能表示群３６２と関連づけられている操作ボタン群の側に設けられている。
【００８３】
第４の火力表示部３８４は、第２の機能表示部３７０の第５の機能表示群３７２の側に設けられている。すなわち、第４の火力表示部３８４は、天板３２０の端面３２２側の本体の側面に形成された凹部に設けられている操作ボタン群のうち、第５の機能表示群３７２と関連づけられている操作ボタン群の側に設けられている。
【００８４】
換言すると、第３の火力表示部３８３及び第４の火力表示部３８４は、それぞれ、第２の加熱領域３３１の周囲において、本体の複数の操作部のうちの対応しない操作部よりも、対応する操作部に近い位置に設けられている。
【００８５】
第３の加熱領域３３２の周囲には、第５の火力表示部３８５と第６の火力表示部３８６が設けられている。第５の火力表示部３８５及び第６の火力表示部３８６は、それぞれ複数の矩形の表示要素を含んでいる。これらの表示要素は、第３の加熱領域３３２の外周の一部に沿って円弧状に配置されている。
【００８６】
第５の火力表示部３８５は、第１の機能表示部３６０の第３の機能表示群３６３の側に設けられている。すなわち、第５の火力表示部３８５は、天板３２０の端面３２１側の本体の側面に形成された凹部に設けられている操作ボタン群のうち、第３の機能表示群３６３と関連づけられている操作ボタン群の側に設けられている。
【００８７】
第６の火力表示部３８６は、第２の機能表示部３７０の第４の機能表示群３７１の側に設けられている。すなわち、第６の火力表示部３８６は、天板３２０の端面３２２側の本体の側面に形成された凹部に設けられている操作ボタン群のうち、第４の機能表示群３７１と関連づけられている操作ボタン群の側に設けられている。
【００８８】
換言すると、第５の火力表示部３８５及び第６の火力表示部３８６は、それぞれ、第３の加熱領域３３２の周囲において、本体の複数の操作部のうちの対応しない操作部よりも、対応する操作部に近い位置に設けられている。
【００８９】
第１の火力表示部３８１、第２の火力表示部３８２、第３の火力表示部３８３、第４の火力表示部３８４、第５の火力表示部３８５、及び第６の火力表示部３８６の、それぞれの表示要素は例えばＬＥＤ等の発光体を備えている。
【００９０】
第１の加熱領域３３０の火力は、天板３２０の端面３２１側の本体の側面の凹部に設けられた操作ボタン群により設定される。この場合、不図示の制御装置の制御により、第１の加熱領域３３０の火力に応じて、第１の火力表示部３８１において発光する表示要素の数が増減するようになっている。また、第１の加熱領域３３０の火力は、天板３２０の端面３２２側の本体の側面の凹部に設けられた操作ボタン群によっても設定される。この場合、不図示の制御装置の制御により、第１の加熱領域３３０の火力に応じて、第２の火力表示部３８２において発光する表示要素の数が増減するようになっている。
【００９１】
第２の加熱領域３３１の火力は、天板３２０の端面３２１側の本体の側面の凹部に設けられた操作ボタン群により設定される。この場合、不図示の制御装置の制御により、第２の加熱領域３３１の火力に応じて、第３の火力表示部３８３において発光する表示要素の数が増減するようになっている。また、第２の加熱領域３３１の火力は、天板３２０の端面３２２側の本体の側面の凹部に設けられた操作ボタン群によっても設定される。この場合、不図示の制御装置の制御により、第２の加熱領域３３１の火力に応じて、第４の火力表示部３８４において発光する表示要素の数が増減するようになっている。
【００９２】
第３の加熱領域３３２の火力は、天板３２０の端面３２１側の本体の側面の凹部に設けられた操作ボタン群により設定される。この場合、不図示の制御装置の制御により、第３の加熱領域３３２の火力に応じて、第５の火力表示部３８５において発光する表示要素の数が増減するようになっている。また、第３の加熱領域３３２の火力は、天板３２０の端面３２２側の本体の側面の凹部に設けられた操作ボタン群によっても設定される。この場合、不図示の制御装置の制御により、第３の加熱領域３３２の火力に応じて、第６の火力表示部３８６において発光する表示要素の数が増減するようになっている。
【００９３】
尚、天板３２０の一方の端面側の本体の凹部に設けられた操作ボタン群により第１の加熱領域３３０の火力が設定されたとき、第１の火力表示部３８１及び第２の火力表示部３８２において発光する表示要素の数が増減するように構成してもよい。第１の加熱領域３３０の火力を設定する使用者に対し、天板３２０を挟んで対面で操作する使用者も第１の加熱領域３３０の火力の増減が視認でき、より安全な加熱調理器が得られる。他の第２の加熱領３３１及び第３の加熱領域３３２の火力が設定される場合も同様である。
【００９４】
本実施の形態４によれば、第１の火力表示部３８１と第２の火力表示部３８２は、第１の加熱領域３３０の周囲に設けられている。従って、第１の加熱領域３３０に鍋等の被加熱物を載置して調理しているとき、使用者は、鍋等から目をそらさずに、第１の火力表示部３８１及び第２の火力表示部３８２を介して、加熱状態を確認することができ、使い勝手がよい。また、第１の加熱領域３３０が高温になった場合、そのことを使用者に迅速に注意喚起することができる。第２の加熱領域３３１における調理、及び第３の加熱領域３３２における調理においても同様の効果が得られる。
【００９５】
さらに、第１の火力表示部３８１、第２の火力表示部３８２、第３の火力表示部３８３、第４の火力表示部３８４、第５の火力表示部３８５、及び第６の火力表示部３８６は、加熱領域の周囲において、それぞれ対応する操作部に近い位置に設けられている。従って、使用者は、各加熱領域における火力の操作が、どの操作部で行われているかを直感的に認識することができ、使い勝手がよい。
【００９６】
尚、実施の形態１〜４の加熱調理器の本体は直方体の形状を有し、天板は直方形の形状を有しているが、これに限るものではない。例えば、円筒形の本体の上部に円形の天板を備えた加熱調理器において、本体の円弧状の側面の一部に凹部を設け、その凹部の内周面に操作部を設け、操作部に対応する機能表示部及び火力表示部を設ける構成としてもよい。
【符号の説明】
【００９７】
１  加熱調理器、１０  本体、１１  脚部、１２  脚部、１３  側面、１４  側面、１５  凹部、１５Ａ  底面、１５Ｂ  凹部側面、１５Ｃ  凹部側面、１５Ｄ  傾斜面、１６  凹部、１６Ａ  底面、１６Ｂ  凹部側面、１６Ｃ  凹部側面、１６Ｄ  傾斜面、２０  天板、２１  端面、２２  端面、３０  第１の加熱領域、３１  第２の加熱領域、４０  第１の操作部、４１  電源ボタン、４２  第１の操作ボタン群、４２Ａ  ボタン、４２Ｂ  ボタン、４２Ｃ  ボタン、４２Ｄ  ボタン、４２Ｅ  ボタン、４３  第２の操作ボタン群、４３Ａ  ボタン、４３Ｂ  ボタン、４３Ｃ  ボタン、４３Ｄ  ボタン、４３Ｅ  ボタン、５０  第２の操作部、５１  電源ボタン、５２  第３の操作ボタン群、５２Ａ  ボタン、５２Ｂ  ボタン、５２Ｃ  ボタン、５２Ｄ  ボタン、５２Ｅ  ボタン、５３  第４の操作ボタン群、５３Ａ  ボタン、５３Ｂ  ボタン、５３Ｃ  ボタン、５３Ｄ  ボタン、５３Ｅ  ボタン、５４  第４の操作ボタン群、６０  第１の機能表示部、６１  表示要素、６２  第１の表示要素群、６２Ａ  表示要素、６２Ｂ  表示要素、６２Ｃ  表示要素、６２Ｄ  表示要素、６２Ｅ  表示要素、６３  第２の表示要素群、６３Ａ  表示要素、６３Ｂ  表示要素、６３Ｃ  表示要素、６３Ｄ  表示要素、６３Ｅ  表示要素、７０  第２の機能表示部、７１  表示要素、７２  第３の表示要素群、７２Ａ  表示要素、７２Ｂ  表示要素、７２Ｃ  表示要素、７２Ｄ  表示要素、７２Ｅ  表示要素、７３  第４の表示要素群、７３Ａ  表示要素、７３Ｂ  表示要素、７３Ｃ  表示要素、７３Ｄ  表示要素、７３Ｅ  表示要素、１００  加熱調理器、１２０  天板、１２１  端面、１２２  端面、１８１  第１の火力表示部、１８２  第２の火力表示部、１８３  第３の火力表示部、１８４  第４の火力表示部、２００  加熱調理器、２１１  仕切り部材、２１２  仕切り部材、２１３  仕切り部材、２１４  仕切り部材、２２０  天板、２２１  端面、２２２  端面、２２３  透明部、２２４  透明部、３００  加熱調理器、３２０  天板、３２１  端面、３２２  端面、３３０  第１の加熱領域、３３１  第２の加熱領域、３３２  第３の加熱領域、３６０  第１の機能表示部、３６１  第１の機能表示群、３６２  第２の機能表示群、３６３  第３の機能表示群、３６４  表示要素、３７０  第２の機能表示部、３７１  第４の機能表示群、３７２  第５の機能表示群、３７３  第６の機能表示群、３７４  表示要素、３８１  第１の火力表示部、３８２  第２の火力表示部、３８３  第３の火力表示部、３８４  第４の火力表示部、３８５  第５の火力表示部、３８６  第６の火力表示部。
【図１】
2019215116.tif 000003
【図２】
2019215116.tif 000004
【図３】
2019215116.tif 000005
【図４】
2019215116.tif 000006
【図５】
2019215116.tif 000007
【図６】
2019215116.tif 000008
【図７】
2019215116.tif 000009
【図８】
2019215116.tif 000010
【図９】
2019215116.tif 000011
【図１０】
2019215116.tif 000012
【図１１】
2019215116.tif 000013
【図１２】
2019215116.tif 000014
【図１３】
2019215116.tif 000015
【図１４】
2019215116.tif 000016
【図１５】
2019215116.tif 000017